(57)【要約】【課題】顎ガードに着用者の顎が触れる際の感触を従来以上に良好なものとする。【解決手段】前合わせ部におけるファスナーの上部の内側に着用者の顎とファスナーとの接触を防止するための顎ガードが設けられている顎ガード付き衣服であって、顎ガードは、表地と裏地とが縫合されて構成され、該裏地の上端部は、顎ガードの上端部で表側に折り返され、該表側に折り返された裏地の上端部と表地の上端部とが、顎ガードの上端部から所定長さ下方の位置において縫合されている。【選択図】　　　図１
2004044005.tif 000002
【特許請求の範囲】
【請求項１】
前合わせ部におけるファスナーの上部の内側に着用者の顎とファスナーとの接触を防止するための顎ガードが設けられている顎ガード付き衣服であって、
顎ガードは、表地と裏地とが縫合されて構成され、該裏地の上端部は、顎ガードの上端部で表側に折り返され、該表側に折り返された裏地の上端部と表地の上端部とが、顎ガードの上端部から所定長さ下方の位置において縫合されていることを特徴とする顎ガード付き衣服。
【請求項２】
裏地は起毛加工されている請求項１記載の顎ガード付き衣服。
【請求項３】
前合わせ部におけるファスナーの上部の内側に着用者の顎とファスナーとの接触を防止するための顎ガードが設けられている顎ガード付き衣服であって、
顎ガードは、表地と裏地とが縫合されて構成され、該表地の上端部は、顎ガードの上端部で裏側に折り返され、該裏側に折り返された表地の上端部と裏地の上端部とが、顎ガードの上端部から所定長さ下方の位置において縫合されていることを特徴とする顎ガード付き衣服。
【発明の詳細な説明】
【０００１】
【発明の属する技術分野】
本発明は、前合わせ部におけるファスナーの上部の内側に着用者の顎とファスナーとの接触を防止するための顎ガードが設けられている顎ガード付き衣服に関するものである。
【０００２】
【従来の技術】
一般に、前合わせ部の開閉をファスナーにより行う構成の上衣が公知である。
また、これらのファスナー付きの上衣において、ファスナーの上部がネック部の上端部まで達していて、着用した際にそのファスナーの上部が顎の前方位置まで達するようなネック部の長い構成のものがある。
【０００３】
該構成の上衣の場合、ファスナーの上部に着用者の顎が擦れる場合もあるため、顎とファスナー上部との接触を防止するために、図６のように、ファスナー５０の内側に顎ガード５１が取り付けられているものがある。
【０００４】
この顎ガード５１は、図７乃至図９のように表地５２と裏地５３とが縫合された構成である。ここで、図７は、前身ごろ６０を内側から見た図であり、図８は、顎ガード５１の前身ごろ６０への取付部６１を支点にして顎ガード５１を図７の通常状態から略１８０度回動させた状態を示す図である。
【０００５】
かかる顎ガード５１は、具体的には、略同一形状の表地５２と裏地５３とを重ね合わせて周縁部を縫合することにより一枚の顎ガード５１が構成される。従って、顎ガード５１の上端部においては、図９のように、表地５２の上端部５２ａと裏地５３の上端部５３ａとが、それぞれ内側に一旦折り返され、該表地５２の折り返し片５２ｂと裏地５３の折り返し片５３ｂとが互いに縫合されている。
【０００６】
【発明が解決しようとする課題】
しかしながら、従来の顎ガード５１にあっては、裏地５３の上端部５３ａと表地５２の上端部５２ａとが、顎ガード５１の上端部において互いに縫合されたものであるため、顎ガード５１の上端部には表地５２と裏地５３との縫着部が存在し、該縫着部５４によって顎ガード５１の上端部は局所的に厚くなっている。即ち、顎ガード５１の上端部は、合計四枚の生地から構成されて他の部分に比して局所的に厚く固くなっている。
【０００７】
一般に頭を上下に揺動する際等において顎は主として顎ガード５１の上端部に触れることになるため、縫着部５４により顎ガード５１の上端部が固くなると、顎が顎ガード５１に触れたときの感触も固く感じられることになる。
【０００８】
それゆえに本発明は、上記従来の問題点に鑑みてなされ、顎ガードに着用者の顎が触れる際の感触を従来以上に良好なものとすることを課題とするものである。
【０００９】
【課題を解決するための手段】
本発明は、上記課題を解決すべくなされたものであり、本発明に係る顎ガード付き衣服は、前合わせ部におけるファスナーの上部の内側に着用者の顎とファスナーとの接触を防止するための顎ガードが設けられている顎ガード付き衣服であって、顎ガードは、表地と裏地とが縫合されて構成され、該裏地の上端部は、顎ガードの上端部で表側に折り返され、該表側に折り返された裏地の上端部と表地の上端部とが、顎ガードの上端部から所定長さ下方の位置において縫合されていることを特徴とする。
【００１０】
特に、裏地は起毛加工されていることが好ましく、より一層良好な感触が得られる。
【００１１】
また、本発明に係る顎ガード付き衣服にあっては、前合わせ部におけるファスナーの上部の内側に着用者の顎とファスナーとの接触を防止するための顎ガードが設けられている顎ガード付き衣服であって、顎ガードは、表地と裏地とが縫合されて構成され、該表地の上端部は、顎ガードの上端部で裏側に折り返され、該裏側に折り返された表地の上端部と裏地の上端部とが、顎ガードの上端部から所定長さ下方の位置において縫合されていることを特徴とする。
【００１２】
【発明の実施の形態】
以下、本発明に係る顎ガード付き衣服の一実施形態として、図１乃至図５を参酌しつつ、左右の前身ごろ１，２の前合わせ部３がファスナー４で開閉される構成の釣用の防寒用上衣について説明する。
【００１３】
該上衣は、ネック部５（カラー）の高いハイネック状の構成であって、そのネック部５の上端部までファスナー４が達しており、従って、ファスナー４を閉じると、図５のように、着用者の顎の前方にファスナー４の上部が位置する。このように、ネック部５が高いために防寒性に優れている。
【００１４】
かかる上衣は、その左側前身ごろ１の上端部に上下に長い全体として略長方形の顎ガード６が取り付けられている。該顎ガード６は、ファスナー４の内側に位置し、図２及び図３のようにその左端部において左側前身ごろ１の内面に縫着され、その縫着による取付部７を支点として左右に回動可能となっている。図２は、顎ガード６がファスナー４の内側に位置する通常状態であり、図３は、取付部７を支点として顎ガード６を図２の状態から略１８０度回動させた状態を示している。尚、顎ガード６の右端部上部８は斜めに（Ｃ面取り状に）切り欠かかれている。また、顎ガード６は、下方側に向けて先細り形状となっている。
【００１５】
該顎ガード６は、図２のようにファスナー４上部を内側から覆う構成である。
従って、着用時には、図５のように、左右の前身ごろ１，２のファスナー４の内側に顎ガード６が位置することにより、ファスナー４に顎が触れることが防止される。
【００１６】
このような顎ガード６は、表地１０と裏地１１とが互いに縫合されて構成されている。該表地１０と裏地１１とは同一形状ではない。即ち、幅方向は略同一であるものの、上下方向の長さは互いに異なっており、裏地１１が表地１０よりも長く構成されている。そして、裏地１１の上端部１１ａは顎ガード６の上端部で表側に折り返され、該表側に折り返された裏地１１の上端部１１ａと表地１０の上端部１０ａとが、顎ガード６の上下方向の中途部において互いに縫合されている。即ち、裏地１１の上端部１１ａと表地１０の上端部１０ａとを縫合することにより形成される縫着部３０は、顎ガード６の上端部から所定長さ下方の位置に形成されている。従って、該縫着部３０より下方側の領域は、表地１０と裏地１１とが重なり合った構成であるが、縫着部３０より上方側の領域は裏地１１のみによって構成され裏地１１が二重に重なり合った構成となっている。
【００１７】
尚、縫着部３０は、顎ガード６の上下方向の例えば略中央部に形成される。また、縫着部３０は、例えば、図３及び図２のように、顎ガード６を横断するように略水平に形成されるが、斜めであったり湾曲状やジグザグ状等に形成したりしても構わない。
【００１８】
かかる縫着部３０における縫製について更に言及すると、表地１０の上端部１０ａは一旦内側に所定長さ折り返され、該表地１０の折り返し片１０ｂと裏地１１の上端部１１ａとが縫合される。例えば、図４のように、表地１０の折り返し片１０ｂの内側に裏地１１の上端部１１ａが重ね合わせられて縫合されている。
尚、縫着部３０は、顎ガード６を表裏貫通するように合計四枚の生地を縫合する第一縫着部３１と、内側に折り返された表地１０の折り返し片１０ｂと裏地１１の上端部１１ａとのみを縫合する第二縫着部３２とからなる。但し、縫製は種々変更可能である。
【００１９】
以上のように顎ガード６を構成する表地１０と裏地１１は、例えば、同じ生地から構成することも可能であるが、本実施形態においては異なる生地から構成されている。具体的には、表地１０には、起毛加工されていない生地が使用され、例えば、起毛加工されていない織物が使用される。
【００２０】
一方、裏地１１には、起毛加工がなされた生地（織物や編み物）が使用されている。起毛加工された生地としては、例えば、ポリエステルやポリアクリレート、ポリウレタン繊維をパイル状に交編した編み物を起毛したものがある。特に、ポリエステル等で吸汗速乾性を有する繊維からなる編み物を起毛加工したものが好ましい。尚、起毛加工としては、特にフリース仕上げが好ましい。尚、裏地１１には、表地１０よりも腰の弱い生地を使用することが好ましい。
【００２１】
以上のように構成された顎ガード付き上衣にあっては、顎ガード６の上端部に従来のような縫着部を有していないため、顎ガード６の上端部が軟らかく、従って顎ガード６の上端部に顎が触れた際の感触が柔らかで良好なものとなる。しかも、裏地１１の上端部１１ａを表側に折り返した構成としているため、裏地１１に肌触りのよい起毛加工の生地を使用することで、顎ガード６の上端部においてその肌触りの良い裏地１１に顎が触れることになるため、より一層良好な感触が得られる。
【００２２】
尚、本実施形態では、裏地１１の上端部１１ａを表側に折り返した構成について説明したが、逆に、表地１０の上端部１０ａを裏側に折り返し、該裏側に折り返した表地１０の上端部１０ａと裏地１１の上端部１１ａとを、顎ガード６の上端部から所定長さ下方の位置において縫合した構成としてもよい。
【００２３】
何れにしても、裏地１１の上端部１１ａを表側に折り返したり、表地１０の上端部１０ａを裏側に折り返したりして、顎ガード６の上端部を裏地１１若しくは表地１０の折り返しのみによって構成することにより、顎ガード６の上端部が厚く固くなるということがなくて、顎が触れた際に良好な感触が得られるのである。
【００２４】
尚、上記実施形態では、防寒用上衣を例にして説明したが、レインコート等の種々の上衣についても同様に適用でき、また、上下一体型の衣服等、種々の衣服にも無論適用可能である。
【００２５】
【発明の効果】
以上のように本発明によれば、裏地若しくは表地の折り返しによって顎ガードの上端部が形成されているため、着用者の顎が触れた際の感触が従来に比して良好なものとなる。
【図面の簡単な説明】
【図１】本発明の一実施形態における顎ガード付き衣服を示す正面図。
【図２】同衣服の要部を内側から見た図。
【図３】同衣服の要部を内側から見た図であって、顎ガードを図２の状態から略１８０度裏返しにした図。
【図４】図２のＰ−Ｐ線断面図。
【図５】同衣服の使用状態を示す正面図。
【図６】従来の顎ガード付き衣服を示す正面図。
【図７】同衣服の要部を内側から見た図。
【図８】同衣服の要部を内側から見た図であって、顎ガードを図７の状態から略１８０度裏返しにした図。
【図９】図７のＱ−Ｑ線断面図。
【符号の説明】
１，２…前身ごろ、３…前合わせ部、４…ファスナー、５…ネック部、６…顎ガード、１０…表地、１１…裏地、３０…縫着部
【図１】
2004044005.tif 000003
【図２】
2004044005.tif 000004
【図３】
2004044005.tif 000005
【図４】
2004044005.tif 000006
【図５】
2004044005.tif 000007
【図６】
2004044005.tif 000008
【図７】
2004044005.tif 000009
【図８】
2004044005.tif 000010
【図９】
2004044005.tif 000011